(57)【要約】【課題】  点字と区別して触読可能な打刻マークを処理シート上に容易に形成できる打刻処理装置、打刻処理方法、プログラムおよび記憶媒体を提供する。【解決手段】  点字の仕様には存在しない配置関係の複数の打刻点で構成される打刻マークのイメージを示す打刻マーク画像を記憶し、打刻マーク画像に基づいて、処理シートに対して打刻マークを打刻することを特徴とする。【選択図】  図１３
2006044137.tif 000002
【特許請求の範囲】
【請求項１】
点字の仕様には存在しない配置関係の複数の打刻点で構成される打刻マークのイメージを示す打刻マーク画像を記憶する打刻マーク画像記憶手段と、
前記打刻マーク画像に基づいて、処理シートに対して前記打刻マークを打刻する打刻手段と、
を備えたことを特徴とする打刻処理装置。
【請求項２】
前記打刻マークは、前記点字の仕様で定められた打刻点ピッチとは異なる打刻点ピッチで配置された複数の打刻点で構成されることを特徴とする、請求項１に記載の打刻処理装置。
【請求項３】
前記打刻マークは、横並び方向に同一の打刻点ピッチで並ぶ３個以上の打刻点で構成されることを特徴とする、請求項１または２に記載の打刻処理装置。
【請求項４】
前記打刻マーク画像として、前記３個以上の打刻点の数が異なる複数種を記憶可能であり、
前記打刻点の数を指定可能な打刻点数指定手段をさらに備えたことを特徴とする、請求項３に記載の打刻処理装置。
【請求項５】
前記打刻マーク画像として、前記打刻点ピッチが異なる複数種を記憶可能であり、
前記打刻点ピッチを、複数の選択肢の中から選択可能なピッチ選択手段をさらに備えたことを特徴とする、請求項２ないし４のいずれかに記載の打刻処理装置。
【請求項６】
前記打刻マーク画像を作成する打刻マーク画像作成手段をさらに備えたことを特徴とする、請求項１ないし５のいずれかに記載の打刻処理装置。
【請求項７】
点字の仕様には存在しない配置関係の複数の打刻点で構成される打刻マークのイメージを示す打刻マーク画像を記憶する打刻マーク画像記憶工程と、
前記打刻マーク画像に基づいて、処理シートに対して前記打刻マークを打刻する打刻工程と、
を備えたことを特徴とする打刻処理方法。
【請求項８】
請求項１ないし６のいずれかに記載の打刻処理装置を機能させること、または、請求項７に記載の打刻処理方法を実行可能なこと、を特徴とするプログラム。
【請求項９】
請求項８に記載のプログラムを、プログラム処理可能な装置によって読出可能に記憶することを特徴とする記憶媒体。
【発明の詳細な説明】
【技術分野】
【０００１】
本発明は、処理シートに対して打刻マークを打刻する打刻処理装置、打刻処理方法、プログラムおよび記憶媒体に関する。
【背景技術】
【０００２】
視覚障害者等に対する情報伝達手段としては点字が良く知られているが、実際には点字を完全に触読できる者の比率は少ない。これに対し、日用品等の複数の物品を相互に識別するだけの情報伝達であれば、例えば凸点の数が異なるマーク（凸形マーク）をそれぞれに付しただけでも可能であり、この種の目的のために対象物品に貼付可能な凸形マークを複数種形成した識別マークシートなどが知られている（例えば、特許文献１参照）。
【特許文献１】特開平９−３３００３５号公報
【発明の開示】
【発明が解決しようとする課題】
【０００３】
ところで、点字を処理シート上に形成するには、従来からの点字器や点字タイプライタ等のほか、最近では、一般的なワープロ等と同様の気軽さで、文字情報に基づく画像処理により作成された点字画像に基づいて、点字を処理シート（テープ等）上に打刻可能な装置（打刻処理装置）も開発されている。しかしながら、上述のような簡易識別用の凸形マーク（以下「打刻マーク」）を簡易に形成可能な装置は存在しない。また、点字器等を用いてマニュアルで形成するにしても、打刻マークとしては、点字触読可能者が点字と誤認しないものにする必要があり、この種の打刻マークを処理シート上に形成するのは困難であった。
【０００４】
本発明は、点字と区別して触読可能な打刻マークを処理シート上に容易に形成できる打刻処理装置、打刻処理方法、プログラムおよび記憶媒体を提供することを目的とする。
【課題を解決するための手段】
【０００５】
本発明の打刻処理装置は、点字の仕様には存在しない配置関係の複数の打刻点で構成される打刻マークのイメージを示す打刻マーク画像を記憶する打刻マーク画像記憶手段と、前記打刻マーク画像に基づいて、処理シートに対して前記打刻マークを打刻する打刻手段と、を備えたことを特徴とする。
【０００６】
また、本発明の打刻処理方法は、点字の仕様には存在しない配置関係の複数の打刻点で構成される打刻マークのイメージを示す打刻マーク画像を記憶する打刻マーク画像記憶工程と、前記打刻マーク画像に基づいて、処理シートに対して前記打刻マークを打刻する打刻工程と、を備えたことを特徴とする。
【０００７】
一般の点字は、墨字（点字に対し、通常の印刷文字を指す）における平仮名等の文字に相当し、慣用されている１文字（１マス）や文字間（マス間）の仕様（図４等参照）に合わせて、予め定められた点間ピッチ（打刻点ピッチ）に従って打刻される。これに対して、この打刻処理装置および打刻処理方法では、点字の仕様には存在しない配置関係の複数の打刻点で構成される打刻マークを打刻できる。この場合の打刻マークは、墨字における絵文字等の簡易図形・記号等あるいは特殊目的の外字等に相当し、点字の仕様には存在しない構成なので、点字と誤認しないで区別して触読できる。また、点字が点字画像に基づいて打刻されるのと同様に、この場合の打刻マークは、打刻マーク画像に基づいて打刻されるので、その打刻マーク画像を選択したり編集したりするだけで、所望の打刻マークを処理シート上に容易に形成できる。
【０００８】
また、上述の打刻処理装置において、前記打刻マークは、前記点字の仕様で定められた打刻点ピッチとは異なる打刻点ピッチで配置された複数の打刻点で構成されることが好ましい。
【０００９】
この打刻処理装置では、打刻マークは、点字の仕様で定められた打刻点ピッチとは異なる打刻点ピッチで配置された複数の打刻点で構成されるので、点字と誤認しないで容易に触読できる。
【００１０】
また、上述した各打刻処理装置において、前記打刻マークは、横並び方向に同一の打刻点ピッチで並ぶ３個以上の打刻点で構成されることが好ましい。
【００１１】
点字では、各マス内とマス間とを区別可能にするために、マス内とマス間とでは打刻点ピッチが異なるため、各マスを並べる横方向に、同一の打刻点ピッチで３個以上の打刻点が並ぶことはない。この打刻処理装置および打刻処理方法では、打刻マークは、横並び方向に同一の打刻点ピッチで並ぶ３個以上の打刻点で構成されるので、点字と誤認しないで触読可能となる。
【００１２】
また、上述の打刻処理装置において、前記打刻マーク画像として、前記３個以上の打刻点の数が異なる複数種を記憶可能であり、前記打刻点の数を指定可能な打刻点数指定手段をさらに備えたことが好ましい。
【００１３】
この打刻処理装置では、打刻マーク画像として、３個以上であるが打刻点の数が異なる複数種を記憶可能であり、その同一ピッチで並ぶ打刻点の数を指定可能なので、打刻数の異なる複数種の打刻マークを容易に形成できる。なお、この場合の複数種の打刻マーク画像は、打刻点の数の指定前に予め記憶しておいても良いし、指定後に作成して記憶（登録）するようにしても良い（この点、後述）。
【００１４】
また、打刻マークが、点字の仕様とは異なる打刻点ピッチの複数の打刻点で構成される上述の各打刻処理装置において、前記打刻マーク画像として、前記打刻点ピッチが異なる複数種を記憶可能であり、前記打刻点ピッチを、複数の選択肢の中から選択可能なピッチ選択手段をさらに備えたことが好ましい。
【００１５】
この打刻処理装置では、打刻マーク画像として、打刻点ピッチが異なる複数種を記憶可能であり、打刻点ピッチを、複数の選択肢の中から選択可能なので、打刻点ピッチの異なる複数種の打刻マークを容易に形成できる。なお、この場合も、各打刻マーク画像は、打刻点ピッチを選択前に予め記憶しておいても良いし、選択後に作成して記憶（登録）するようにしても良い（この点、後述）。
【００１６】
また、打刻マークが、点字の仕様とは異なる打刻点ピッチの複数の打刻点で構成される上述の各打刻処理装置において、前記点字のイメージを示す点字画像を記憶する点字画像記憶手段をさらに備え、前記打刻手段は、前記点字のマスの縦方向に並ぶ縦列点の任意の点を同時に打刻可能なものであり、且つ、前記縦列点の前記横方向のピッチを前記打刻点ピッチとして変更可能なものであることが好ましい。
【００１７】
この打刻処理装置では、点字のイメージを示す点字画像を記憶し、点字のマスの縦方向に並ぶ縦列点の任意の点を同時に打刻でき、縦列点の横方向のピッチを打刻点ピッチとして変更可能なので、その打刻点ピッチを点字の仕様に合わせれば、点字を打刻できる。すなわち、点字を打刻する際には、その点字を表現するためのマスの縦に並ぶ点（縦列点）の必要な点を打刻し、マス内の横方向のピッチだけ開けて次の縦列点を打刻してそのマスを完成させ、その後、マス間のピッチだけ開けて次のマス用の処理に移行することにより、点字を打刻できる。そして、この縦列点のピッチを変更して打刻すれば、点字触読可能者が触読しても、点字と誤認しない打刻マークとなる。したがって、処理シートに対して点字画像に基づく点字打刻と、打刻マーク画像に基づく打刻マークの打刻が可能である。
【００１８】
また、上述の各打刻処理装置において、前記打刻マーク画像を作成する打刻マーク画像作成手段をさらに備えたことが好ましい。
【００１９】
この打刻処理装置では、打刻マーク画像を作成できるので、各種作成して記憶（登録）しておくことにより、それを選択するだけで、所望の打刻マークを処理シート上に容易に形成できる。なお、打刻点数や打刻点ピッチのみ異なる複数種については、打刻点数等を指定された時点で作成して打刻することもできる。また、この場合も、新たに作成された打刻マーク画像を登録しておいて、次回からは選択するだけで（作成処理を経ること無しで）利用できるようにしても良い。
【００２０】
また、上述の各打刻処理装置において、前記打刻マーク画像記憶手段は、前記打刻マーク画像として複数種類を記憶し、前記複数種類の打刻マーク画像のいずれかを選択可能な打刻マーク選択手段をさらに備えたことが好ましい。
【００２１】
この打刻処理装置では、記憶された複数種類の打刻マーク画像のいずれかを選択可能なので、選択するだけで各種の打刻マークを容易に形成できる。
【００２２】
また、上述の各打刻処理装置において、前記処理シートは、打刻後に貼付対象物に貼付するための粘着層を有するものであることが好ましい。
【００２３】
この打刻処理装置では、処理シートは、打刻後に貼付対象物に貼付するための粘着層を有するものなので、打刻マークを打刻後、その打刻マークによって識別したい所望の対象物に貼付して利用できる。
【００２４】
また、本発明のプログラムは、上述のいずれかの打刻処理装置を機能させること、または、上述のいずれかの打刻処理方法を実行可能なこと、を特徴とする。また、本発明の記憶媒体は、上述のプログラムを、プログラム処理可能な装置によって読出可能に記憶することを特徴とする。
【００２５】
このプログラムは、上述のいずれかの打刻処理装置を機能させるので、または、上述のいずれかの打刻処理方法を実行可能なので、プログラム処理可能な装置によって処理されることにより、または、プログラム処理可能な装置によって記憶媒体に記憶されたプログラムを読み出して実行することにより、点字と誤認しないで区別して触読可能な打刻マークを処理シート上に容易に形成できる。
【発明を実施するための最良の形態】
【００２６】
以下、本発明の一実施形態に係るラベル作成装置（打刻処理装置）について、添付図面を参照しながら詳細に説明する。このラベル作成装置は、テープ（処理シート）Ｔに対して、墨字（点字に対し、通常の印刷文字を指す）の印刷と、墨字における平仮名等の文字に相当する（文字を表現する）点字の打刻と、墨字における絵文字等の簡易図形・記号等に相当する打刻マークの打刻と、が可能な装置である。
【００２７】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープＴに対して墨字印刷を行う。また、後部ケース２ｂは、点字打刻部１５０を有し、ユーザがテープＴを手差し挿入した墨字印刷後のテープＴに対して点字打刻を行う。
【００２８】
前部ケース２ａの前部上面には各種入力キーを備えたキーボード３が配置されると共に、後部上面には開閉蓋２１が取り付けられ、開閉蓋２１には長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００２９】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【００３０】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１４２およびこれを駆動するカッタモータ１４１を有し、印刷済みテープＴを切断する切断部１４０と、を備えている。
【００３１】
また、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、をさらに備えている。
【００３２】
また、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、をさらに備えている。
【００３３】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。なお、ＲＯＭ２２０内ではなく、文字フォントデータ用のＲＯＭを別個に備えても良い。
【００３４】
ＲＡＭ２３０は、フラグ等として使用される各種ワークエリアブロック２３１の他、生成された墨字印刷データを記憶する墨字印刷データブロック２３２と、生成された点字打刻データを記憶する点字打刻データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（図９参照）を記憶する反転点字データブロック２３６と、を有し、制御処理のための作業領域として使用される。また、ＲＡＭ２３０は電源が切断されても記憶したデータを保持しておくように常にバックアップされている。
【００３５】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３６】
そして、ＣＰＵ２１０は、上記の構成により、ＲＯＭ２２０内の制御プログラムに従って、ＩＯＣ２５０を介してラベル作成装置１内の各部から各種信号・データを入力するとともに、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３７】
例えば、ＣＰＵ２１０は、キーボード３より文字情報が入力されると、これに基づいて墨字印刷データＰおよび点字打刻データＢを生成し、必要に応じて両データ間での長さ等の調整を行い、反転点字データＢ’を用意する（図９参照）。また、調整前または調整後の墨字印刷データ（余白データを含む）Ｐを墨字印刷データブロック２３２に記憶すると共に、同じく調整前または調整後の点字打刻データ（余白データを含む）Ｂを点字打刻データブロック２３３に記憶し、反転点字データＢ’を反転点字データブロック２３６に記憶する。
【００３８】
また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データＰに基づく墨字印刷を行うと共に、予め制御データブロック２２２内に記憶されているデータに基づいて、挿入するテープＴの前後識別情報Ｄの印刷も行う。その後、墨字印刷データに基づいて（必要に応じて調整済みの）所定長さのテープ送りを行い、テープカッタ１４２によりテープ後端部を切断して、印刷テープ排出口２２からテープＴを排出する。
【００３９】
また、図１〜図３を参照して、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字打刻データＢまたは反転点字データＢ′に基づいて点字打刻を行う。そして、打刻終了後、打刻送りモータ１５１の駆動により、点字打刻データＢ等に基づく調整済みの所定長さのテープ送りを行って、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００４０】
ここで、図４を参照し、テープＴ上に形成される点字Ｂ（６点点字Ｂ）について説明する。
【００４１】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ポイント：いわゆる「１の点」〜「６の点」と呼ばれる６個の点：図１２（ｂ）右注記参照）で１マス２０１が構成され、６個の点のうちの打刻点および非打刻点のパターンにより、この１マス２０１で、１文字または濁点等の属性を表現するものである、例えば図４（ａ）は、１の点、２の点、５の点、６の点を打刻点とし、３の点、４の点を非打刻点とすることにより、文字情報「し」を表現する点字（点字データ）Ｂを示す図である。
【００４２】
なお、点字Ｂには、このような仮名文字や数字等を表す６点点字Ｂの他、漢字を表す８点点字（１マスが縦４個×横２個の点で構成される点字）も使用されている。本実施形態では、６点点字Ｂを形成する場合を例に挙げて説明するが、８点点字を形成するラベル作成装置においても本発明は適用可能である。
【００４３】
６点点字Ｂは、１マス２０１が縦３個×横２個の配置パターンで６個の打刻ポイント２０１ａ〜２０１ｆに分割されており、縦方向のピッチが略２．４ｍｍ、マス内の横方向のピッチが略２．１ｍｍ、マス間のピッチは略３．３ｍｍとなっている（図４（ａ）、図１２（ｂ）参照）。図示では、６個の打刻ポイント２０１ａ〜２０１ｆのうち「し」を表現すべく４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。
【００４４】
また、実施形態のラベル作成装置１は、打刻ユニット８０として相互に交換可能な２種類のユニットが用意されており、一方は直径が略１．４ｍｍの小形の小打刻凸部２０３を形成し、例えば点字Ｂの読み取りに慣れた者（先天盲者）向けであり、他方は直径が略１．８ｍｍの大形の大打刻凸部２０４を形成し、例えば初心者（中途失明者）向けである。
【００４５】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。
【００４６】
また、機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キー、墨字印刷や点字打刻を行うための処理モードを選択するモードキー、墨字印刷領域（印刷配置部）Ｅｐと点字打刻領域（打刻配置部）Ｅｂの配置を設定するレイアウトキー、その配置結果を印刷等の実行前にプレビュー表示させるためのプレビューキー、スクロール表示させるためのスクロールキーが含まれる。また、これら以外にも、機能キー群３ｂには一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００４７】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４８】
ディスプレイ４は、横方向（Ｘ方向）約１２cm×縦方向（Ｙ方向）５cmの長方形の形状の内側に、１９２ドット×８０ドットの表示画像を表示可能であり、ユーザがキーボード３から文字情報を入力して、墨字印刷データや点字打刻データを作成・編集したりする際に用いられる。また、各種エラーやメッセージ（指示内容）を表示し、ユーザに報知する。
【００４９】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００５０】
テープカートリッジＣは、カートリッジケース５１内部にテープリール１７とリボンリール１９とを収容して構成されており、テープＴとインクリボンＲは同じ幅で構成されている。また、ヘッドカバー２０ａに差し込むための貫通孔５５が形成されており、テープＴとインクリボンＲとが重なる部分に対応して、プラテン駆動軸２５に嵌合されて回転駆動するプラテンローラ５３が配置されている。また、リボンリール１９から繰り出されたインクリボンＲは、ヘッドカバー２０ａを周回して、リボンリール１９に近接配置されたリボン巻き取りリール５４に巻き取られるようになっている。
【００５１】
テープカートリッジＣがカートリッジ装着部６に装着されると、ヘッドカバー２０ａに貫通孔５５が、位置決め突起２４にテープリール１７の中心孔が、プラテン駆動軸２５にプラテンローラ５３が、巻き取り駆動軸２３にリボン巻き取りリール５４の中心孔が、それぞれ差し込まれ、テープＴおよびインクリボンＲを挟み込んで印刷ヘッド７がプラテンローラ５３に当接して墨字印刷が可能になる。そして、墨字印刷後のテープＴは、印刷テープ排出口２２に送られる。
【００５２】
テープＴは、特に図示しないが、裏面に粘着剤層が設けられた基材シート（情報形成層）と、この粘着剤層により基材シートに貼付された剥離紙（剥離紙層）とから構成されている。基材シートは、表側から、インクリボンから感熱転写されるインクの定着性を高めた受像層と、ポリエチレンテレフタレート（ＰＥＴ）製のフィルムで構成され、基材シートの主体を為す基材層と、粘着剤で構成された粘着剤層とを積層して構成されている。
【００５３】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００５４】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００５５】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００５６】
次に、打刻ユニット８０は、図５に示すように、テープＴの裏面側に配設されると共に上記３個の打刻ピン４１が組み込まれた打刻部材（打刻ヘッド）８１と、テープＴを挟んで打刻部材８１と対向する位置で打刻ピン４１を受ける打刻受け部材８２とを備え、テープ走行路７０の幅方向における図示下端部に固定配置されている。
【００５７】
打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５８】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。そして、この打刻ピン４１と打刻受け部材８２とにより、テープＴに打刻凸部２０２を形成する。
【００５９】
また、点字打刻部１５０は、図６に示すように、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。前後識別情報Ｄとしては、図示のとおり、テープＴの先端部且つ図示下端部付近に点「・」が印刷されており、これによってテープの挿入方向（前側）が指標されている。
【００６０】
打刻テープ挿入口３１には、テープ幅の大きいものからテープＴ１、Ｔ２、Ｔ３（テープ幅２４、１８、１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープ送りが開始される。
【００６１】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力され、編集画面等として各種の情報が表示される（Ｓ１２）。
【００６２】
ここで、キーボード３からのモード選択指示（モードキー入力）により（または外部装置からの指示入力により）、モード選択割込が発生すると（ＩＮＴＭ）、処理モード選択の処理が起動され、第１処理モード（墨点併記）、第２処理モード（墨字のみ）および第３処理モード（点字のみ）のいずれかが選択される（Ｓ１３）。
【００６３】
また、レイアウト設定指示（レイアウトキー入力）により（または外部装置からの指示入力により）、レイアウト設定割込が発生すると（ＩＮＴＬ）、レイアウト設定の処理が起動され（Ｓ３０）、打刻マーク形成指示（打刻マークキー入力）により（または外部装置からの指示入力により）、打刻マーク形成割込が発生すると（ＩＮＴＫ）、打刻マーク形成の処理が起動され（Ｓ３１）、印刷／実行指示（印刷キー入力）により（または外部装置からの指示入力により）、印刷割込が発生すると（ＩＮＴＧ）、実行前設定の処理が起動される（Ｓ１４）。
【００６４】
ここで、実行前設定（Ｓ１４）では、実際の墨字印刷や点字打刻に際してその時点で必要とされる割付配置等の設定や各設定の最終確認等が行われる。なお、モード選択割込やレイアウト設定割込や打刻マーク形成割込がないまま、印刷割込が発生したときには（ＩＮＴＧ）、デフォルトとして前回の設定のモード（初期設定では、第１処理モード、点字下段、墨点並行）が選択される。そして、実行前設定（Ｓ１４）が終了すると、実際の墨字印刷や点字打刻の処理を開始する。
【００６５】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、テープカットと印刷テープ排出口２２からのテープＴの排出を行い（Ｓ１６）、ディスプレイ４上に打刻テープ挿入口３１へのテープ挿入指示を表示する（Ｓ１７）。なお、この指示表示は、インジケータやＬＥＤによって行っても良い。
【００６６】
テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じた点字打刻方向に基づいて、テープ挿入方向が間違っている場合には、点字打刻を行わないようにしている。
【００６７】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図８（ｂ）に示すように、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００６８】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。すなわち、第３処理モードでは、図８（ｃ）に示すように、短冊状のテープ（任意の長さにカットされたテープ）Ｔが手差し挿入により点字打刻部１５０に送られて、点字Ｂを打刻する。また、この場合も、第１処理モードの場合と同様に、点字打刻部１５０において、前後識別情報Ｄの検出結果と設定されたレイアウトの点字打刻方向に対して挿入方向が間違っている場合、点字打刻を行わないようにしている。
【００６９】
なお、第３処理モードの場合も、前後識別情報Ｄの検出を省略することが可能であり、前後識別情報Ｄの検出を行うか否かを選択できるようにしても良い。また、手差し挿入のための短冊状のテープＴを入手するために、テープ挿入指示（Ｓ２４）の前に、図７および図８（ｃ）に点線で図示のように、第１処理モードの墨字印刷の代わりの空印刷（何も印刷しないでテープ送りのみ）を行った後（Ｓ２２）、テープカット・排出を行い（Ｓ２３）、排出されたテープカット後のテープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。また、墨字印刷と点字打刻は、同じ文字情報に基づいて印刷／打刻するのではなく、異なる文字情報に基づいて実行することも可能である。
【００７０】
次に、レイアウト設定（Ｓ３０）では、テープ幅検出結果（Ｓ１１）および処理モード選択結果（Ｓ１３）に基づいて、主な設定として、テープＴ上における墨字印刷領域（印刷配置部）Ｅｐや点字打刻領域（打刻配置部）Ｅｂの相対位置や（図９等参照）、各配置部の長さ（印刷配置部長さＰＬ、打刻配置部長さＢＬ、共通配置部長さＣＬ等）が設定され（図１２等参照）、その他、墨字印刷の文字サイズなど、一般的なテープ印刷装置やワープロ等と同様の設定が行われる。
【００７１】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される。なお、テープＴの上下は、前後識別情報Ｄをテープ挿入方向（左向き）とし、且つ情報形成面を表側としたときの上下を指すものである。
【００７２】
また、テープ幅１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらのテープＴ１やテープＴ２の場合、墨字と点字とを並行に配置するレイアウト（以下「墨点並行」）以外に、墨字と点字とを重ねるレイアウト（以下「墨点重ね」）を選択して設定できるようになっている。
【００７３】
なお、テープ幅１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００７４】
ここで、実際に作成されるラベルの例を示しておく。まず、例えば図１０に示すように、カーソルＫまでの１行目の文字（キャラクタ）列「ＡＢＣ」が入力されたテキスト編集画面表示の状態で（画面Ｄ１０）、（図示とは異なり）印刷キーが押され、印刷割込が発生すると（ＩＮＴＧ）、第２処理モード（墨字のみ）が選択されていたときには、例えば図１２（ａ)の墨字画像（墨字印刷データ）Ｇｐ０に従って墨字印刷の後（Ｓ２０）、印刷テープ排出口２２からテープＴを排出し（Ｓ２１）、処理を終了する（Ｓ２７）。この場合、墨字のみなので、そのまま墨字印刷結果のラベルＬｐ０となる。
【００７５】
また、第３処理モード（点字のみ）が選択されていたときには、前述のように、必要に応じて空印刷〜テープＴ排出（Ｓ２２〜Ｓ２３）の後、テープ挿入指示を表示し（Ｓ２４）、テープＴが手差し挿入されると、図１２（ｂ）の点字画像（点字打刻データ）Ｇｂ０に従って点字打刻を行って（Ｓ２５〜Ｓ２６）、処理を終了する（Ｓ２７）。この場合、点字のみなので、そのまま点字打刻結果のラベルＬｂ０となる。
【００７６】
また、第１処理モード（墨点併記）が選択されていたときには、図１２（ａ）の墨字画像Ｇｐ０を、必要に応じて長さ調整結果の共通配置部長さＣＬ（後述）まで拡張して（ここでは不要）、その墨字画像Ｇｐ０により墨字印刷を行った後（図７のＳ１５〜Ｓ１６）、テープ挿入指示を表示し（Ｓ１７）、テープＴが手差し挿入されると、同図（ｂ）の点字画像Ｇｂ０の点字打刻を行って（Ｓ１８〜Ｓ１９）、処理を終了する（Ｓ２７）。これにより、同図（ｃ）の外観（画像）Ｇ００のような墨点併記のラベルＬ００を作成できる。
【００７７】
ここで、ラベルを作成する際の各配置部の長さについて説明しておく、まず、打刻配置部Ｅｂのテープ長手方向の長さである打刻配置部長さＢＬについて説明する。図４（ａ）および図１２（ｂ）に示すように、打刻配置部Ｅｂの先端（例えばテープＴの先端）〜最初のマスの前端の間の長さと、最後のマスの後端〜打刻配置部Ｅｂの後端（例えばカット後のテープＴの後端）の間の長さを、それぞれ前または後のマージン（前後余白）Ｍｂとし、ここでは、仮に前後余白Ｍｂ＝９．０［ｍｍ］とする。また、最初のマスの前端〜最初の点（例えば１の点）の間の長さと、最後のマスの最後の点（例えば４の点）〜最後のマスの後端の間の長さを、前述の民間仕様の１−４間ピッチＢ１４の半分とし、Ｂ１４／２と表現する。
【００７８】
また、ここでは、点字によって文字列「ＡＢＣ」を表現するため、１マス目は外字を表す外字符（打刻点：５、６）、２マス目が大文字を表す大文字符（打刻点：６のみ）、３〜５マス目が、それぞれ、ａ（打刻点：１のみ）、ｂ（打刻点１、２）、ｃ（打刻点：１、４）の、５マスで表現することになるので、文字数（この場合、マス数）Ｎｂ＝５とする。
【００７９】
この場合、図１２（ｂ）に示すように、打刻配置部長さＢＬは、
ＢＬ＝Ｍｂ×２＋Ｂ１４×（Ｎｂ＋１）＋Ｂ４１×（Ｎｂ−１）  ……（１）
＝９．０×２＋２．１×６＋３．３×４＝４３．８［ｍｍ］
となる。
【００８０】
次に、印刷配置部Ｅｐのテープ長手方向の長さである印刷配置部長さＰＬについて説明する。図１２（ａ）に示すように、一般的な文字印刷と同様の前または後のマージン（前後余白）Ｍｐを、同図（ｂ）の打刻配置の前後余白Ｍｂに合わせて、前後余白Ｍｐ＝９．０ｍｍとする。また、文字数Ｎｐは「ＡＢＣ」の３文字より、文字数Ｎｐ＝３とする。また、図示では、１文字の文字幅Ｐｗ＝７．０、文字間Ｐｓ＝２．４とする。なお、文字高Ｐｔも調整可能であるが、以下では、文字高Ｐｔ＝Ｐｗ（文字幅）として、文字高Ｐｔの説明を省略する。
【００８１】
この場合、図示のように、印刷配置部長さＰＬは、
ＰＬ＝Ｍｐ×２＋Ｐｗ×Ｎｐ＋Ｐｓ×（Ｎｂ−１）              ……（２）
＝９．０×２＋７．０×３＋２．４×２＝４３．８［ｍｍ］
となる。
【００８２】
また、第１処理モード（墨点併記）の共通配置部長さＣＬは、図１２（ｃ）に示すように（且つ図１２の例では）、打刻配置部長さＢＬと印刷配置部長さＰＬの大きい方（最大値）と言う意味で、
ＣＬ＝ＭＡＸ［ＢＬ，ＰＬ］                                  ……（３）
＝４３．８［ｍｍ］
となる。なお、共通配置部（共通処理領域）Ｅｃは打刻配置部Ｅｂと印刷配置部Ｅｐとの双方を含む領域とする（図１２（ｃ）参照）。
【００８３】
ここで、例えば図１２（ａ）において、他の条件を変えずに、文字間Ｐｓ＝２．０とすると、上記（１）式より、ＰＬ＝４３．０［ｍｍ］となるので、第２処理モード（墨字のみ）の場合には、長さ４３．０［ｍｍ］の墨字印刷のみのラベルを作成できる。また、この文字間Ｐｓ＝２．０のまま、さらに文字幅Ｐｗ＝８．０に変えると、ＰＬ＝４６．０［ｍｍ］となるので、第２処理モード（墨字のみ）の場合には、長さ４６．０［ｍｍ］の墨字印刷のみのラベルを作成できる。
【００８４】
なお、いわゆる定長印刷のときの定長設定と同様に、印刷配置幅長さＰＬを直接指定して設定することもでき、この場合、文字数Ｎｐ＝３等に基づいて（例えば均等配置で）割り付けて、上記の文字間Ｐｓ＝２．０等を予め定めた仕様に従って自動的に決定できるようにしても良い。
【００８５】
ただし、第１処理モード（墨点併記）の場合、共通配置部長さＣＬは、（３）式で上述のように、打刻配置部長さＢＬと印刷配置部長さＰＬの大きい方（最大値）であり、上記のＰＬ＝４３．０の場合、ＰＬ＜ＢＬなので、ＣＬ＝ＢＬ＝４３．８と決定し、墨字画像を、予め定めた仕様に従って、あるいは改めて設定し直して、共通配置部長さＣＬに合わせて調整する。逆に言えば、例えば上記のＰＬ＝４３．０の墨字画像の文字間Ｐｓ＝２．０が文字間Ｐｓ＝２．４に調整されれば、図１２（ａ）で上述のＰＬ＝４３．６の墨字画像Ｇｐ０となる。
【００８６】
また、上記の後者のＰＬ＝４６．０の墨字画像の場合、ＰＬ＞ＢＬなので、ＣＬ＝ＰＬ＝４６．０と決定し、点字画像を、予め定めた仕様に従って、あるいは改めて設定し直して、共通配置部長さＣＬに合わせて調整する。この場合、例えば打刻配置部の全体を、前寄せや中央寄せ（センタリング）や後寄せなどにより割り付ければ良い。
【００８７】
ところで、本実施形態の点字打刻部１５０の打刻ユニット８０は、テープ幅方向（文字高方向）に並んだ３個の打刻ピン４１により、打刻を行う。このため、１の点〜３の点の列（以下「第１列」）または４の点〜６の点の列（以下「第２列）の縦方向のピッチは略２．４ｍｍで固定となるが（図４（ａ）、図１２（ｂ）参照）、横方向のピッチであるマス内ピッチ（例えば１−４間ピッチＢ１４）やマス間ピッチ（４−１間ピッチＢ４１）は、民間仕様に拘わらず、調整が可能である。
【００８８】
すなわち、テープ送りと打刻とのタイミング関係をずらすことにより、横方向に関してはマス内ピッチやマス間ピッチを自由に調整できる構成になっている。このため、ラベル作成装置１では、純粋に文字情報を示す点字の他、打刻による単なるマーク（「打刻マーク」）、すなわち点字のマスの構成に拘わらない打刻マークを打刻により作成（形成）できる。この処理が、図７で触れた打刻マーク形成の処理（Ｓ３１）であり、以下に詳述する。
【００８９】
この場合、例えば図１０に示すように、前述の文字列「ＡＢＣ」を入力後のテキスト編集画面表示の状態から（画面Ｄ１０：以下、ディスプレイ４の表示画面の状態を画面Ｄｘｘとし、Ｄｘｘのみで説明および図示する。）、打刻マークキーが押されると（図７の打刻マーク形成割込（ＩＮＴＫ））、打刻マークモード選択のため（Ｓ４１）、打刻マークモード選択画面に遷移する（Ｄ１１）。
【００９０】
ここでは、選択肢として、「１．個数」「２．模様」「３．解除」「４．キャンセル（取消）」のいずれかを、カーソル操作によって選択・指定できる（画面遷移直後は前回指定の選択肢をデフォルトとしてカーソル指定して表示：初期設定は「１．個数」）。
【００９１】
なお、以下の各種の選択画面においても、基本的に画面遷移直後は、前回指定の選択肢をデフォルトとしてカーソル指定して表示するものとして、説明は省略し、適宜初期設定のみ付記する。また、ラベル作成装置１では、ユーザは、キー入力による各種指示を取消キーにより取り消すことができ、例えば上述の状態（Ｄ１１）から取消キーを押すことにより、元のテキスト編集画面の表示状態（Ｄ１０）に戻すことができる。また、以下の各種選択画面における「キャンセル（取消）」が選択されたときも、同様に作用する。これらについて、以下では説明は省略する。
【００９２】
ここでは、上記の状態で（Ｄ１１）、「１．個数」がカーソル指定されてエンターキーの押下により選択（以下単に「選択確定」という）されたとすると、打刻マークモードとして「個数」を設定して、次に、打刻マークの打刻点の個数の選択（打刻マーク打点数選択）をするために（Ｓ４３）、「打刻マーク（個数）」の選択画面（打点数選択画面）に遷移する（Ｄ１３）。この選択画面では、選択肢として、「１．●」「２．●●」「３．●●●」「４．●●●●」の打点数と、「５．キャンセル（取消）」と、のいずれかをカーソル操作で選択・指定できる（初期設定は「３．●●●」）。
【００９３】
ここでは、「３．●●●」が選択確定されたとすると、打点数として３個を設定して、次に、打刻マークの打点間のピッチ（打刻マークピッチ）を選択するために（Ｓ４４）、打刻マークピッチ選択画面に遷移する（Ｄ１４）。この選択画面では、選択肢として、「１．普通」「２．広め」「３．段違い」「４．密着」「５．キャンセル（取消）」のいずれかを選択・指定できる（初期設定は「１．普通」）。
【００９４】
ここでは、「１．普通」が選択確定されたとすると、「打刻マークモード（個数）−打点数３−普通ピッチ」を設定して、テキスト編集画面（文字情報入力状態）に戻る（Ｓ４５、Ｄ１５：Ｄ１０と同じ：図７ではＳ１２の状態）。
【００９５】
次に、図示はしないが、この状態から（Ｄ１５）、印刷キーが押され、印刷割込が発生すると（図７のＩＮＴＧ）、打刻マークモード（個数）が設定されているので、第３処理モード（点字のみ）と同様の処理となり、必要に応じて空印刷〜テープカット・排出（Ｓ２２〜Ｓ２３）の後、テープ挿入指示を表示し（Ｓ２４）、テープＴが手差し挿入されると、図１３（ｂ）の打刻マーク画像（打刻マークデータ）Ｇｋ１に従って打刻を行って（Ｓ２５〜Ｓ２６）、処理を終了する（Ｓ２７）。この場合、打刻結果のラベルＬｋ１が作成される。
【００９６】
ここで、図１３に示すように、前後マージン（前後余白）を図１２で前述の墨字印刷や点字打刻のラベルの例に合わせて、前後余白Ｍｋ＝９．０ｍｍとする。また、図１３（ｂ）に示すように、上述の例では、打刻マークピッチが「普通」（普通ピッチ）なので、横方向（テープ長手方向、墨字や点字の文字並び方向）の点間ピッチＤｄを、点字の民間仕様のマス内のピッチ（１−４間ピッチＢ１４）と同一とし、Ｄｄ＝２．１ｍｍとする。また、上述の例の打刻数Ｎｄ＝３とする。
【００９７】
この場合、マーク配置部長さＫＬは、
ＫＬ＝Ｍｋ×２＋Ｄｄ×Ｎｄ                                  ……（４）
＝９．０×２＋２．１×３＝２４．２［ｍｍ］
となる。
【００９８】
なお、図１０で上述の打刻マークピッチ選択画面（Ｄ１４）において、「４．密着」が選択確定されたとすると、「打刻マークモード（個数）−打点数３−密着ピッチ」を設定して、テキスト編集画面（文字情報入力状態）に戻り（Ｓ４５、Ｄ１５：図７のＳ１２）、印刷キー押下により印刷割込が発生すると（図７のＩＮＴＧ）、上述と同様にして、図１３（ａ）の打刻マーク画像（打刻マークデータ）Ｇｋ０に従って打刻を行って、ラベルＬｋ０が作成される。
【００９９】
この場合、上述の図１３（ｂ）の例とは点間ピッチＤｄのみ異なり、「密着ピッチ」なので、隣接する打刻点が密着するＤｄ＝１．４ｍｍ（図４（ｂ）参照）とし、この結果、ＫＬ＝２２．２ｍｍ、すなわちラベル長さ２２．２ｍｍのラベルＬｋ０となる。
【０１００】
また、同様に、上述の打刻マークピッチ選択画面（Ｄ１４）において、「２．広め」が選択確定されたとすると、「打刻マークモード（個数）−打点数３−広めピッチ」を設定して、同様に印刷割込が発生すると（図７のＩＮＴＧ）、図１３（ｃ）の打刻マーク画像Ｇｋ２に従って打刻を行って、ラベルＬｋ２が作成される。この場合も、点間ピッチＤｄのみ異なり、「広めピッチ」なので、「広め」の点間ピッチＤｄ＝４．０ｍｍとし、この結果、ＫＬ＝３０．０ｍｍのラベル長さのラベルＬｋ２となる。
【０１０１】
また、同様に、上述の打刻マークピッチ選択画面（Ｄ１４）において、「３．段違い」が選択確定されたとすると、「打刻マークモード（個数）−打点数３−段違い」を設定し、同様に印刷割込が発生すると（図７のＩＮＴＧ）、点間ピッチＤｄ＝２．１ｍｍ（普通と同じ）で段違い配置の図１３（ｄ）の打刻マーク画像Ｇｋ３に従って打刻を行って、この結果、ＫＬ＝２４．２ｍｍのラベルＬｋ３が作成される。
【０１０２】
また、前述の打刻数選択画面（Ｄ１３）において、「４．●●●●」が選択された場合も、上記の「３．●●●」の場合と同様に、打刻マークピッチを選択後に打刻を行って、ラベルを作成する。
【０１０３】
ところで、点字では、各マス内とマス間とを区別可能にするために、マス内とマス間とでは点間ピッチが異なるため、各マスを並べる横方向に、同一の点間ピッチで３個以上の打刻点が並ぶことはない。図４（ａ）等で前述の民間仕様でも、１−４間ピッチＢ１４と４−１間ピッチＢ４１は異なる。このため、上記の「３．●●●」や「４．●●●●」の打刻マークピッチで「普通」を選択しても、すなわち点間ピッチＤｄ＝２．１ｍｍとしても、点字と区別可能となる。
【０１０４】
これらに対し、打刻数選択画面（Ｄ１３）において例えば「２．●●」が選択確定された場合、「普通」の点間ピッチＤｄ＝２．１ｍｍとすると、「う」や「ー」の１文字の点字と区別できないため、「普通」に相当するピッチの選択肢は用意していない。また、「段違い」で点間ピッチＤｄ＝２．１ｍｍとすると、その段違いの構成にもよるが、「お」「か」「や」「ら」「を」等の点字の１文字と誤読する可能性があるので、「段違い」の点間ピッチＤｄを「普通」の点間ピッチと容易に区別可能な、例えば小さくＤｄ＝１．４ｍｍ（「密着」と同じ）や大きくＤｄ＝４．０ｍｍ（「広め」と同じ）とする。
【０１０５】
また、例えば「１．●」の場合、ピッチに相当するものはないので、打刻数選択画面（Ｄ１３）において「１．●」が選択確定された場合、そのまま直接、「打刻マークモード（個数）−打点数１」を設定して、テキスト編集画面（文字情報入力状態）に戻る（Ｓ４５、Ｄ１５：図７のＳ１２）。
【０１０６】
なお、上述の「打刻マークモード（個数）−打点数３−段違い」の例では、点間ピッチＤｄ＝２．１ｍｍ（普通と同じ）としたが、仮に最初の点間をマス間の３．３ｍｍと誤解（誤読）すれば、２マスで表現される点字の「が」として読み取ることになるので、マス間３．３ｍｍとも区別が容易な点間ピッチＤｄ（例えば「広め」と合わせてＤｄ＝４．０ｍｍ）とすることが、より好ましい。
【０１０７】
次に、例えば図１０で前述の打刻マークモード選択画面において（Ｄ１１：図１０（ａ）と図１１で共通）、図１０（ｂ）および図１１に示すように、「２．模様」が選択確定されたとすると、打刻マークモードとして「模様」を設定して、次に、打刻マークの模様の選択画面（打刻マーク模様選択）をするために（Ｓ５０）、「打刻マーク（模様）」の選択画面（模様選択画面）に遷移する（Ｄ２１〜Ｄ２６）。
【０１０８】
この模様選択画面では（Ｄ２１〜Ｄ２６）、図示のように、６種の打刻マークをイメージ的に表示して、いずれかを選択可能であり、ここでの各種の打刻マーク（模様）は、点字との識別が容易なように、前述の「密着」と同じ点間ピッチＤｄ＝１．４ｍｍとしている。ここで、例えば「５」のイメ−ジが選択確定されたとすると、「打刻マークモード（模様）−第５模様」を設定して、テキスト編集画面（文字情報入力状態）に戻り（Ｓ４５、Ｄ２７：Ｄ１０と同じ：図７のＳ１２）、印刷キー押下により印刷割込が発生すると（図７のＩＮＴＧ）、上述と同様にして、図１３（ｅ）の第５模様の打刻マーク画像（打刻マークデータ）Ｇｋ４に従って打刻を行って、ＫＬ＝２５．０ｍｍのラベル長さのラベルＬｋ４が作成される。
【０１０９】
次に、例えば図１０で前述の打刻マークモード選択画面において（Ｄ１１）、「３．解除」が選択確定されると、設定されていた打刻マークモードを解除して（Ｓ６０）、テキスト編集画面（文字情報入力状態）に戻る（Ｓ４５、Ｄ１５：図７のＳ１２）。すなわち、この時点以降、印刷キーが押され、印刷割込が発生すると（図７のＩＮＴＧ）、打刻マークモード設定前に選択されていた第１処理モード（墨点併記）、第２処理モード（墨字のみ）、第３処理モード（点字のみ）のいずれかに従って、図７等で前述の処理が実行される。
【０１１０】
上述のように、本実施形態のラベル作成装置１では、テープＴ（処理シート）に対して点字画像に基づく点字打刻と、打刻マーク画像に基づく打刻マークの打刻とが可能であり、打刻マークでは、点字の仕様と異なる点間ピッチで打刻処理を行うので、点字と誤認しないで区別して触読できる（識別できる）。また、打刻マーク画像に基づいて打刻されるので、その打刻マーク画像を選択するだけで、所望の打刻マークを処理シート上に容易に形成できる。
【０１１１】
ここで、例えばスイッチなどにおける晴眼者向けの表記は、一般にその表記のための面積が狭いので、「ＯＮ」「ＯＦＦ」等よりも、短くできる半角の「ON」「OFF」としたり、漢字で「入」「切」等と表すなど、短い表記が多い。あるいは、例えば押下した状態と離間した状態をイメージで示すスイッチを模した絵柄・記号等で示すことが多い。これと同様に、点字ラベルの場合も、「ＯＮ」や「ＯＦＦ」をそのまま表現した点字より、打刻点１個で「ＯＮ」、３個で「ＯＦＦ」などを決めておいて、それらの打刻マークを貼る方が、短いラベルで済むので、実状に合う。本実施形態における打刻マークは、このような場合に有効に利用できる。
【０１１２】
また、例えばキーホルダーに繋いで一括管理されたキーを区別するために、「車」「玄関」「裏口」「納戸」「金庫」・・・等々の名前の点字ラベルを用意して貼るのでは、各キーに貼るためのスペースが必要となり、実状に合わないが、その代わりにキー管理者が識別できる打刻マークを貼れば、短いラベルで済むので、実状に合う。また、例えば家族で同じ大きさ・形状で色違いのコップ等をお揃いで揃えたときに、打刻点の数や模様等の異なる上述したような打刻マークを貼り、それらの色と打刻マークとの対応を決めておけば、家族に視覚障害者がいても容易に識別できて便利である。また、仮に色まで同じものであっても、家族の個々人と打刻マークとの対応を決めておけば、容易に識別可能となる。
【０１１３】
なお、上述の実施形態では、打刻マークの形成処理を、第２処理モード（点字のみ）の場合の処理に合わせたが、打刻マークモード設定下においても、第１処理モード（墨点併記）を選択可能にしても良い。この場合、例えば上記のコップの例において、家族の個々の名前を墨字印刷し、それに対して打刻マークを打刻できるようにすれば、個々人のコップを家族内の晴眼者も視覚障害者も容易に識別可能なラベルを作成でき、それぞれのコップに貼付することができる。また、打刻マークのラベルであることを明記するため、打刻マークの周囲を囲む枠等を墨字印刷できるようにしても良い。
【０１１４】
また、上述の実施形態では、一旦、打刻マークモードを設定してから文字入力状態に戻り、その後の印刷・実行指示（印刷割込）によって実行させたが、打刻マークモード設定から直接実行するように（図７のＳ３１からＳ２４またはＳ２２への点線で示すフローに従うように）しても良い。また、複数回繰り返して同じ打刻マークを作成するのでなければ、直接実行後に、打刻マークモードを解除するようにしても良く、この場合、図１０等で前述の「３．解除」の選択肢は不要となる（Ｄ１１）。
【０１１５】
また、上述のラベル作成装置１では、打刻ユニット８０の構成（具体的には縦３個の打刻ピン４１の構成）に基づき、横方向のピッチ（１−４間ピッチＢ１４や４−１間ピッチＢ４１）のみを調整したが、例えば縦方向のピッチ（１−２間、２−３間のピッチ）を調整できるものであれば、これらを民間仕様の２．４ｍｍ（図４（ａ）参照）より小さくしたり大きくしたりして、上述した各種とは別の種類の打刻マークを形成できる。
【０１１６】
また、上述の実施形態では、複数種の打刻マーク画像を、「個数」や「模様」のグループに分けて記憶し、それらを選択肢として選択することにより打刻マークを指定したが、画像処理（いわゆる描画処理）により、画像の状態で所望の打刻マークの打刻マーク画像を作成（描画）し、それを利用して打刻マークを形成できるようにしても良い。また、打刻点数や打刻点ピッチのみ異なる複数種については、打刻点数等を指定された時点で作成して打刻することもできる。また、これらの場合も、新たに作成された打刻マーク画像を登録しておいて、次回からは選択するだけで（作成処理を経ること無しで）利用できるようにしても良い。
【０１１７】
また、上述した実施形態において採用された打刻処理装置としての機能あるいは各種処理方法（打刻処理方法など）は、上述のラベル作成装置１ばかりでなく、プログラム処理可能な各種の装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、点字と区別して触読可能な打刻マークを処理シート上に容易に形成できる。もちろん、その他、要旨を逸脱しない範囲で、適宜変更も可能である。
【図面の簡単な説明】
【０１１８】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】打刻マーク形成時の操作および処理の説明図。
【図１１】図１０に続く、操作の説明図。
【図１２】各種の墨字画像、点字画像およびラベルの例を示す説明図。
【図１３】各種の打刻マーク画像およびラベルの例を示す説明図。
【符号の説明】
【０１１９】
１…ラベル作成装置（文字情報処理装置）  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ  Ｃ…テープカートリッジ  ＣＬ…共通配置部長さ  Ｅｂ…点字打刻領域（打刻配置部）  Ｅｃ…共通処理領域（共通配置部）  Ｅｐ…墨字印刷領域（印刷配置部）  Ｇｘｘ…画像  ＫＬ…マーク配置部長さ  Ｌｘｘ…ラベル  Ｐ…墨字  ＰＬ…印刷配置部長さ  Ｔ、Ｔ１、Ｔ２、Ｔ３……テープ（処理シート）
【図１】
2006044137.tif 000003
【図２】
2006044137.tif 000004
【図３】
2006044137.tif 000005
【図４】
2006044137.tif 000006
【図５】
2006044137.tif 000007
【図６】
2006044137.tif 000008
【図７】
2006044137.tif 000009
【図８】
2006044137.tif 000010
【図９】
2006044137.tif 000011
【図１０】
2006044137.tif 000012
【図１１】
2006044137.tif 000013
【図１２】
2006044137.tif 000014
【図１３】
2006044137.tif 000015